(57)【特許請求の範囲】
【請求項１】
光源装置を含む被保持部材を内側で保持するための保持具であって、
側壁及び当該側壁の外側に向けて突出した突出部を有する第一部材と、
底板及び当該底板から立設された側板を有し、当該側板の前記突出部と対向する位置に前記突出部に係合する開口が形成され、前記第一部材と組み付けられた第二部材と、
を備え、
前記第一部材の前記側壁の下面と前記第二部材の底板とが互いに当接して押圧し合い、前記開口よりも上方に配置された部分である開口上方部と前記開口との境界をなす縁部に前記突出部の上端面が当接し、且つ前記側板の上端に対して前記側壁と離間した状態となるように、前記第一部材が形成されていて、
前記側壁は、前記底板の法線方向に沿って前記突出部よりも上方に延在するように、前記第一部材が形成されていて、
前記底板及び前記側壁と直交し且つ前記突出部と交わる仮想平面内で、上方に向かうにつれ内側に傾くように、前記側壁の外側面が形成されていて、
前記第一部材における前記側壁の内側面には、内側に向けて突出し、前記光源装置の位置を規制する光源規制部が設けられ、前記光源装置の下面と前記第二部材の前記底板とが互いに当接している、
ことを特徴とする保持具。
【請求項２】
請求項１記載の保持具において、
前記側壁は前記被保持部材の周側面を取り囲んだ枠状に形成されており、
前記側板は前記側壁の外側面を取り囲んでいることを特徴とする保持具。
【請求項３】
請求項１又は２記載の保持具において、
前記底板及び前記側壁と直交し且つ前記突出部と交わらない仮想平面内で、前記側壁の下端部が前記側板の下端部に対して離間した状態となるように、前記第一部材が形成されていることを特徴とする保持具。
【請求項４】
請求項１〜３のいずれか一項に記載の保持具において、
前記底板及び前記側壁と直交し且つ前記突出部と交わる仮想平面内で、前記側壁の下端部が前記側板の下端部に対して離間した状態となるように、前記第一部材が形成されていることを特徴とする保持具。
【請求項５】
請求項１〜４のいずれか一項に記載の保持具において、
前記光源規制部は、前記光源装置の導光板の側面に近接又は当接していることを特徴とする保持具。
【請求項６】
請求項１〜５のいずれか一項に記載の保持具において、
前記光源規制部は、前記側壁の四辺の各辺に一つずつ設けられていることを特徴とする保持具。
【請求項７】
光源装置を含む被保持部材を内側で保持するための保持具を構成する保持具構成用部材であって、
前記保持具構成用部材は側壁及び当該側壁の外側に向けて突出した突出部を有し、
底板及び当該底板から立設された側板を有し当該側板の前記突出部と対向する位置に前記突出部に係合する開口が形成された組付部材に前記保持具構成用部材が組み付けられる際に、
前記保持具構成用部材の前記側壁の下面と前記組付部材の底板とが互いに当接して押圧し合い、前記開口よりも上方に配置された部分である開口上方部と前記開口との境界をなす縁部に前記突出部の上端面が当接し、且つ前記側板の上端に対して前記側壁が離間した状態となるように、前記保持具構成用部材が形成されていて、
前記側壁は、前記底板の法線方向に沿って前記突出部よりも上方に延在するように形成されていて、
前記底板及び前記側壁と直交し且つ前記突出部と交わる仮想平面内で、上方に向かうにつれ内側に傾くように、前記側壁の外側面が形成されていて、
前記側壁の内側面には、内側に向けて突出し、前記光源装置の位置を規制する光源規制部が設けられ、前記光源装置の下面と前記組付部材の前記底板とが互いに当接している、
ことを特徴とする保持具構成用部材。
【請求項８】
請求項７記載の保持具構成用部材において、
前記組付部材に前記保持具構成用部材が組み付けられる際に、
前記底板及び前記側壁と直交し且つ前記突出部と交わらない仮想平面内で、前記側板の下端部に対して離間した状態となるように、前記側壁の下端部が形成されていることを特徴とする保持具構成用部材。
【請求項９】
請求項７又は８記載の保持具構成用部材において、
前記組付部材に前記保持具構成用部材が組み付けられる際に、
前記底板及び前記側壁と直交し且つ前記突出部と交わる仮想平面内で、前記側板の下端部に対して離間した状態となるように、前記側壁の下端部が形成されていることを特徴とする保持具構成用部材。
【請求項１０】
請求項７〜９のいずれか一項に記載の保持具構成用部材において、
前記光源規制部は、前記光源装置の導光板の側面に近接又は当接していることを特徴とする保持具構成用部材。
【請求項１１】
請求項７〜１０のいずれか一項に記載の保持具構成用部材において、
前記光源規制部は、前記側壁の四辺の各辺に一つずつ設けられていることを特徴とする保持具構成用部材。
【発明の詳細な説明】
【技術分野】
【０００１】
本発明は、保持具及び保持具構成部材に関する。
【背景技術】
【０００２】
例えば、液晶表示装置等の表示装置には、表示パネルを保持する保持具が設けられている。この保持具は、表示パネルの画面領域を露出しつつ、当該表示パネルの周囲を囲むメタルフレーム（第二部材）と、表示パネルの画面領域側とは反対側を覆って表示パネルを収容する樹脂ケース（第一部材）とを備えている。樹脂ケースの周縁部には、フックが形成されていて、このフックがメタルフレームの側板に形成されたスリットに係合することにより、樹脂ケースとメタルフレームとが組み付けられている（例えば特許文献１参照）。
【先行技術文献】
【特許文献】
【０００３】
【特許文献１】特開２００２−１３２１８１号公報
【発明の概要】
【発明が解決しようとする課題】
【０００４】
ここで、表示装置の小型軽量化のため、メタルフレームの厚みを薄くするとフックの突出量も小さくなる。一方、メタルフレームを絞り加工して形成する場合、メタルフレームの底板から樹脂ケースに沿って立設する側板が、底板に対して垂直に立ち上がらずに樹脂ケースが配置された側の内角が鈍角となる可能性がある。内角が鈍角となっていて、且つフックの突出量も小さい場合、フックがスリット内に進入して樹脂ケースと係合したとしても、フックと樹脂ケースとの嵌め合いが浅くなり、樹脂ケースがメタルフレームから離脱しやすくなるおそれがあった。
これを防止すべく、前述の内角が鋭角となるように、メタルフレームの側板を形成することが考えられる。こうすると、側板の弾性力によって当該側板の先端部が樹脂ケースを抑え、離脱を防止することができる。
【０００５】
しかしながら、単に内角を鋭角としただけでは、フックと樹脂ケースとの嵌め合いが浅いままなので、樹脂ケースとメタルフレームとの組み付け強度に不安があった。
本発明の課題は、第一部材の側面に設けられた係合部と、第二部材の側面に設けられた被係合部とが係合し合うことで第一部材と第二部材とが組み付けられる場合に、その組み付け強度が低下しないようにすることである。
【課題を解決するための手段】
【０００７】
以上の課題を解決するため、本発明の保治具の一態様は、光源装置を含む被保持部材を内側で保持するための保持具であって、側壁及び当該側壁の外側に向けて突出した突出部を有する第一部材と、底板及び当該底板から立設された側板を有し、当該側板の前記突出部と対向する位置に前記突出部に係合する開口が形成され、前記第一部材と組み付けられた第二部材と、を備え、前記第一部材の前記側壁の下面と前記第二部材の底板とが互いに当接して押圧し合い、前記開口よりも上方に配置された部分である開口上方部と前記開口との境界をなす縁部に前記突出部の上端面が当接し、且つ前記側板の上端に対して前記側壁と離間した状態となるように、前記第一部材が形成されていて、前記側壁は、前記底板の法線方向に沿って前記突出部よりも上方に延在するように、前記第一部材が形成されていて、前記底板及び前記側壁と直交し且つ前記突出部と交わる仮想平面内で、上方に向かうにつれ内側に傾くように、前記側壁の外側面が形成されていて、前記第一部材における前記側壁の内側面には、内側に向けて突出し、前記光源装置の位置を規制する光源規制部が設けられ、前記光源装置の下面と前記第二部材の前記底板とが互いに当接している、ことを特徴とする。
【００１１】
また、以上の課題を解決するため、本発明の保治具構成用部材の一態様は、光源装置を含む被保持部材を内側で保持するための保持具を構成する保持具構成用部材であって、前記保持具構成用部材は側壁及び当該側壁の外側に向けて突出した突出部を有し、底板及び当該底板から立設された側板を有し当該側板の前記突出部と対向する位置に前記突出部に係合する開口が形成された組付部材に前記保持具構成用部材が組み付けられる際に、前記保持具構成用部材の前記側壁の下面と前記組付部材の底板とが互いに当接して押圧し合い、前記開口よりも上方に配置された部分である開口上方部と前記開口との境界をなす縁部に前記突出部の上端面が当接し、且つ前記側板の上端に対して前記側壁が離間した状態となるように、前記保持具構成用部材が形成されていて、前記側壁は、前記底板の法線方向に沿って前記突出部よりも上方に延在するように形成されていて、前記底板及び前記側壁と直交し且つ前記突出部と交わる仮想平面内で、上方に向かうにつれ内側に傾くように、前記側壁の外側面が形成されていて、前記側壁の内側面には、内側に向けて突出し、前記光源装置の位置を規制する光源規制部が設けられ、前記光源装置の下面と前記組付部材の前記底板とが互いに当接している、ことを特徴とする。
【発明の効果】
【００１３】
本発明によれば、第一部材の側面に設けられた係合部と、第二部材の側面に設けられた被係合部とが係合し合うことで第一部材と第二部材とが組み付けられる場合に、その組み付け強度が低下しないようにすることができる。
【図面の簡単な説明】
【００１４】
【図１】本実施形態の表示装置の概略構成を示す斜視図である。
【図２】図１の表示装置の概略構成を示す分解斜視図である。
【図３】図１におけるIII−III切断線から見た断面図である。
【図４】図１におけるIV−IV切断線から見た断面図である。
【図５】図３及び図４のV-V切断線から見た断面図である。
【図６】図３の表示装置の組立途中の状態を示す断面図である。
【図７】側壁の観察側の外側面が表示パネルの表示面に対して垂直に形成された比較例としての表示装置を示す断面図である。
【図８】図３の表示装置において側板が内側に曲がっている場合の状態を示す断面図である。
【図９】図３の表示装置において側板が外側に広がっている場合の状態を示す断面図である。
【図１０】図１におけるIII−III切断線から見た変形例を示す断面図である。
【図１１】図１におけるIII−III切断線から見た変形例を示す断面図である。
【発明を実施するための形態】
【００１５】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１６】
図１は本実施形態の表示装置の概略構成を示す斜視図であり、図２は表示装置の分解斜視図であり、図３は図１におけるIII−III切断線から見た断面図であり、図４は、図１におけるIV−IV切断線から見た断面図である。図１〜図４に示すように、表示装置１は、表示パネル２と、光源装置３と、保持具４とを有している。
【００１７】
表示パネル２は、例えば矩形状の液晶表示パネルであり、予め定めた間隙を設けて対向配置された一対の透明基板２１，２２を備えている。これら透明基板２１，２２間の間隙には液晶（図示省略）が封入されている。一対の透明基板２１，２２の互いに向き合う内面には、第一と第二の透明電極（図示省略）がそれぞれ互いに対向した状態で設けられている。第一と第二の透明電極は、電圧の印加により液晶層の液晶分子の配向状態を変化させて光の透過率を制御する複数の画素をマトリクス状に形成している。また、観察側の透明基板２１の外面には偏光板２３が貼り付けられている。他方、背面側の透明基板２２の外面にも偏光板２４が貼り付けられている。また、表示パネル２の四つの縁部のうち、一つの縁部には、背面側の透明基板２２が観察側の透明基板２１から張り出した張出部２５が設けられている。張出部２５には、上記の透明電極間に駆動電圧を印加して表示パネル２の表示を行う駆動回路２６が搭載されている。また、張出部２５には、駆動回路２６に外部回路からの制御信号を供給するためのフレキシブル配線基板（図示省略）が接続されている。
【００１８】
光源装置３は、表示パネル２に向けて面発光するものであり、表示パネル２の背後、即ち表示パネル２の観察側とは反対側に配置されている。光源装置３は、反射シート３１、拡散シート３２、プリズムシート３３，３４、導光板３５及び光源ユニット（図示省略）等を備えている。
【００１９】
反射シート３１は、導光板３５の背面に対向配置され、導光板３５の背面から射出される光を導光板３５に向けて反射するものである。
拡散シート３２は、導光板３５の光射出面に対向配置され、導光板３５から射出された光を拡散させて輝度を均一にするものである。
プリズムシート３３，３４は、拡散シート３２上に積層され、拡散シート３２から様々な方向へ向けて射出される光の向きを整えるものである。これらプリズムシート３３，３４は、拡散シート３２から射出された様々な方向を向く光を、プリズムシート３４の射出面に対しほぼ垂直な方向に向けて射出する。
光源ユニットは、表示パネル２の張出部２５の背面側であって、導光板３５の側方に配置されている。光源ユニットには複数のＬＥＤが備えられており、この複数のＬＥＤが導光板３５に対して光を照射するようになっている。
【００２０】
保持具４は、第一部材としての樹脂ケース５と、第二部材としてのメタルフレーム６とを備えており、これら樹脂ケース５とメタルフレーム６とが組み付けられることで、被保持部材である表示パネル２と光源装置３とを収容し保持している。
【００２１】
樹脂ケース５は、保持具構成用部材であり、側壁５１と、光源規制部５２と、突出部５３とを有している。本明細書では、樹脂ケース５のうち、表示パネル２の表示面や、後述するメタルフレーム６の底面６１と垂直な方向に沿ってみたときに、後述する上端面５３１の下方において該上端面５３１と重なる部分を突出部５３と称す。
側壁５１は、その内側に表示パネル２と光源装置３とが配置されていて、表示パネル２と光源装置３との周側面を取り囲むように矩形枠状に形成されている。側壁５１の上面５１１は、表示パネル２よりも上方に配置されている。そして、側壁５１における突出部５３よりも上方部分は、図３に示すように、その外側面が観察側（上方）に向かうにつれ内側に傾くテーパー面に形成されている。以下、このテーパー面を第一テーパー面５１２と称す。第一テーパー面５１２は、側壁５１の全周に亘って形成されている。
一方、側壁５１における突出部５３よりも下方部分は、その外側面が背面（下方）に向かうにつれ内側に傾くテーパー面に形成されている。以下、このテーパー面を第二テーパー面５１３と称す。
また、図４に示すように、側壁５１における突出部５３が形成されてない部分では、第一テーパー面５１２よりも下方の外側面が下方に向かうにつれ内側に傾くテーパー面に形成されている。以下、このテーパー面を第三テーパー面５１４と称す。この第三テーパー面５１４は、第二テーパー面５１３よりも内側に位置している。
【００２２】
光源規制部５２は、図３及び図４に示すように、側壁５１の内側面５１５から内側に向けて突出し、導光板３５の側面に近接又は当接している。なお、側壁５１の内側面５１５は平面であり、表示パネル２の表示面の面方向に直交するように形成されている。これにより、光源規制部５２が光源装置３の位置を規制している。なお、四方向からの位置規制を考えると、光源規制部５２は、側壁５１の四辺のうち各辺に一つずつ設けられていることが好ましい。
【００２３】
突出部５３は、図３に示すように該突出部５３の観察側に表示パネル２の表示面やメタルフレーム６の底面６１と略平行な上端面５３１を少なくとも有し、側壁５１の外側面の中央から外側に向けて突出するように形成されている。また、突出部５３は、側壁５１の四辺のうち、張出部２５に対向する辺以外の三辺に設けられている。突出部５３の下端面５３２は、該突出部５３の最外端と側壁５１との間に背面側（下方）に向かうにつれ内側へと傾くテーパー面に形成され、側壁５１のテーパー面５１３と平行で且つ隣接している。このため、突出部５３の下端面５３２と側壁５１の第二テーパー面５１３とは断面視直線状に連続している。
【００２４】
メタルフレーム６は、組付部材であり、底板６１と、側板６２とを備えている。
底板６１は略矩形状であり、被保持部材の一方の主面である反射シート３１の背面３１１が底板６１に対向配置されるように、光源装置３が載置されている。また、光源装置３は、表示パネル２と底板６１の間に介在されている。樹脂ケース５の側壁５１はその下面が底板６１上に当接した状態で載置され、底板６１の法線方向に沿って立設されている。
側板６２は、底板６１の周縁から立設しており、その上端部６２１が側壁５１の上面５１１よりも下方に配置されている。上述したように、樹脂ケース５には第一テーパー面５１２が形成されているので、側板６２の上端部６２１は側壁５１から離間することとなる。
また、側板６２における突出部５３と対向する位置には、当該突出部５３が係合する開口６３が形成されている。この開口６３と、側板６２における開口６３よりも上方に配置された部分である開口上方部６４との境界をなす縁部６５は、突出部５３の上端面５３１に当接している。また、開口６３は、その下端部が底板６１の縁部にまで至るように下方に向けて延在している。
【００２５】
ここで、図５は、図３及び図４のV-V切断線から見た断面図である。この図５中の境界線Ｌは、底板６１に直交し、なおかつ突出部５３に交わらない仮想平面Ｐ１が存在する領域（第一領域Ｈ１）と、底板６１に直交し、なおかつ突出部５３に交わる仮想平面Ｐ２が存在する領域（第二領域Ｈ２）との境界を示している。なお、仮想平面Ｐ１及び仮想平面Ｐ２はいずれも側壁５１の内側面５１５に対しても直交する平面である。
第一領域Ｈ１においては、いずれの仮想平面Ｐ１を切断面として見た断面形状は、図４に示した形状となる。このように仮想平面Ｐ１内においては、第三テーパー面５１４によって側壁５１の下端部と、側板６２の下端部とが離間した状態で対向している。
次いで、第二領域Ｈ２においては、いずれの仮想平面Ｐ２を切断面として見た断面形状は、図３に示した形状となる。このように仮想平面Ｐ２内においては、側壁５１の下端部に対向するように開口６３が形成されている。また、仮想平面Ｐ２内では、突出部５３の下端面５３２と、第二テーパー面５１３とによって、側壁５１の最外端から最下端にかけて直線状となっている。
【００２６】
次に、本実施形態の作用について説明する。
組立時においては、光源装置３と表示パネル２とを樹脂ケース５に対して固定する。このとき、樹脂ケース５の光源規制部５２により光源装置３の位置決めを行う。また、表示パネル２は樹脂ケース５又は光源装置３を基準として位置決めが行われる。その後、図６に示すようにメタルフレーム６の上方から、表示パネル２、光源装置３及び樹脂ケース５を組み付ける。組み付け時においては、メタルフレーム６の側板６２の上端部が第二テーパー面５１３に当接するので、表示パネル２、光源装置３及び樹脂ケース５の下降によって第二テーパー面５１３及び突出部５３の下端面５３２が側板６２を外側に押し広げることになる。側板６２の上端部が突出部５３の下端面５３２を通過し、その後側板６２の縁部６５が突出部５３の上端面５３１を通過すると、開口６３内に突出部５３が収まって側板６２も弾性復帰する。これにより、樹脂ケース５とメタルフレーム６とが組み付けられた状態となる（図３参照）。樹脂ケース５とメタルフレーム６とが組み付けられた状態では、樹脂ケース５の側壁５１の下面とメタルフレーム６の底板６１とが互いに当接して押圧し合い、開口６３よりも上方に配置された部分である開口上方部６４と開口６３との境界をなす縁部６５が突出部５３の上端面５３１に当接し、且つ側板６２の上端が側壁５１と離間している。
【００２７】
以上のように本実施形態によれば、側板６２の開口上方部６４と開口６３との境界をなす縁部６５が突出部５３の上端面５３１に当接し、且つ側板６２の上端が側壁５１と離間しているので、樹脂ケース５と、メタルフレーム６との組み付け強度を低下しないようにすることができる。
例えば、図７に示すように側板６２が内側に曲げられていて、なおかつ表示パネル２の表示面やメタルフレーム６の底板６１と垂直な方向に沿って、突出部５３の上端面５３１の縁辺から側壁５１の外側面が立設されている場合、実線Ｔで示した位置に側板６２が配置される。こうなると、縁部６５が突出部５３の上端面５３１と当接しないか、又は当接していたとしても突出部５３と側板６２との嵌め合いが浅いままとなってしまうので、組み付け強度が低下してしまう。
一方、図８に示すように、本実施形態の保持具４は第一テーパー面５１２が形成されているので、樹脂ケース５とメタルフレーム６とが組み付けられた際に、側板６２の上端が側壁５１から離間し、側板６２は外側へと変形しない。これにより縁部６５を突出部５３の上端面５３１と当接させることができ、また、突出部５３と側板６２との嵌め合いを深くすることができるので、組み付け強度が低下しないようにすることができる。
また、図９に示すように、絞り加工などによって側板６２が外側に広がっている場合においても、突出部５３の上端面５３１が縁部６５に当接しているので、樹脂ケース５と、メタルフレーム６との組み付け強度を低下しないようにすることができる。
【００２８】
また、仮想平面Ｐ１内では、側壁５１の下端部と、側板６２の下端部とが第三テーパー面５１４によって離間した状態で対向しているので、公差によりメタルフレーム６の底板６１のサイズが樹脂ケース５よりも僅かに小さくなった場合でも、側板６２の下端部が側壁５１の下端部に当たらないようにすることができる。側板６２の下端部が側壁５１の下端部に当たると側板６２が外側に向けて傾いてしまうので突出部５３と側板６２との嵌め合いが浅くなってしまう。本実施形態では、側板６２の下端部が側壁５１の下端部に当たらないので、樹脂ケース５とメタルフレーム６とを外れにくくすることができる。
【００２９】
さらに、仮想平面Ｐ２内では、側壁５１の下端部に対向するように開口６３が形成されているので、公差によりメタルフレーム６の底板６１のサイズが樹脂ケース５よりも僅かに小さくなった場合でも、側板６２の下端部が開口６３によって側壁５１の下端部に当たらないようにすることができる。この場合も樹脂ケース５とメタルフレーム６とを外れにくくすることができる。
【００３０】
仮想平面Ｐ２内では、突出部５３の下端面５３２と第二テーパー面５１３とによって側壁５１の最外端から下端にかけて直線状となるように樹脂ケース５が形成されているので、組み付け時に側板６２の上端部が突出部５３の下端面５３２及び第二テーパー面５１３に当接しても、側板６２から付与される押圧力を分散させることができる。これにより、組み付け時に樹脂ケース５が削られてしまうことを防止することができる。
【００３１】
また、側壁５１の内側面５１５に光源規制部５２が設けられているので、組み付け時に光源装置３の位置合わせをすることができ、組み付け後においては位置ズレを防止することができる。
また、側壁５１の上面５１１が表示パネル２よりも上方に配置されているので、側壁５１が防護壁となって表示パネル２に対する他部材との接触を抑制することができる。
【００３２】
なお、本発明は上記実施形態に限らず適宜変更可能である。以下の説明において、上記実施形態と同一箇所においては同一符号を付してその説明を省略する。
例えば、上記実施形態では、表示パネル２として一対の透明基板を有する液晶表示パネルを例示して説明したが、これ以外にも表示パネル２としては、少なくとも一枚の透明基板を有する例えば有機ＥＬ表示パネル等を用いることも可能である。
【００３３】
また、上記実施形態では、開口６３が底板６１の縁部まで延在している場合を例示したが、例えば、図１０の表示装置１Ａに示すように、突出部５３がちょうど収容される大きさの開口６３ａであってもよい。こうした場合においても、仮想平面Ｐ２内では、第二テーパー面５１３によって側壁５１の下端部と、側板６２の下端部とが離間した状態で対向することになる。したがって、公差によりメタルフレーム６の底板６１のサイズが樹脂ケース５よりも僅かに小さくなった場合でも、側板６２の下端部が側壁５１の下端部に当たらないことになり、樹脂ケース５とメタルフレーム６とを外れにくくすることができる。
【００３４】
また、上記実施形態では、第一テーパー面５１２によって側板６２の上端と側壁５１とを離間させている場合を例示して説明したが、側板６２の上端と側壁５１とが離間していれば側壁５１の形状は如何様でもよい。例えば、図１１に示す表示装置１Ｂのように、側壁５１ｂの上面５１１ｂを突出部５３の上端面５３１に面一とすることで、側板６２の上端と側壁５１とを離間させることも可能である。
さらに、上記実施形態では第一部材が樹脂製であり第二部材が金属製である場合を例示したが、材質の組み合わせはこれに限るものではない。
【符号の説明】
【００３５】
１      表示装置
２      表示パネル（被保持部材）
３      光源装置（被保持部材）
４      保持具
５      樹脂ケース（第一部材、保持具構成用部材）
６      メタルフレーム（第二部材、組付部材）
２１      透明基板
２２      透明基板
２３      偏光板
２４      偏光板
３１      反射シート
３２      拡散シート
３３      プリズムシート
３４      プリズムシート
３５      導光板
５１      側壁
５２      光源規制部
５３      突出部（係合部）
６１      底板
６２      側板
６３      開口（被係合部）
６４      開口上方部
６５      縁部
３１１      背面（一方の主面）
５１１      上面
５１２      第一テーパー面
５１３      第二テーパー面
５１４      第三テーパー面
５１５      内側面
５３１      上端面
５３２      下端面
６２１      上端部
Ｈ１      第一領域
Ｈ２      第二領域
Ｌ      境界線
Ｐ１      仮想平面
Ｐ２      仮想平面
【図１】
0005509949.tif 000002
【図２】
0005509949.tif 000003
【図３】
0005509949.tif 000004
【図４】
0005509949.tif 000005
【図５】
0005509949.tif 000006
【図６】
0005509949.tif 000007
【図７】
0005509949.tif 000008
【図８】
0005509949.tif 000009
【図９】
0005509949.tif 000010
【図１０】
0005509949.tif 000011
【図１１】
0005509949.tif 000012